(57)【要約】【課題】貯留ないし循環する液体中に有機物を含有する沈殿物が発生し、該沈殿物と被沈殿液体とが互いに不溶である場合において、前記沈殿物中に微生物が繁殖し、沈殿物が分解されることによって生ずる腐敗を予防する方法を提供する。【解決手段】ドライクリーニングの洗浄機１には被沈殿液体としての洗浄剤２を収容するベースタンク３が設けられており、該ベースタンク３にはベースタンク３の底部からわずかに離れて導通管４が設けられている。該導通管４は洗浄剤２を吸引することができるポンプ５と汚染物を除去する濾過部材としてのペーパーフィルタ６とを介して被洗浄物としての衣服７を洗浄する洗浄槽８と接続されている。ベースタンク３中の洗浄剤２に沈殿物９に可溶な腐敗防止剤としてのフラボノイド及びε−ポリリシンを混合する。フラボノイド及びε−ポリリシンは沈殿物９中に溶解し、微生物の繁殖を抑制することにより、沈殿物９の腐敗を予防する。【選択図】図１
2005152784.tif 000002
【特許請求の範囲】
【請求項１】
貯留ないし循環する液体中に有機物を含有する沈殿物が発生し、該沈殿物と被沈殿液体とが互いに不溶である場合において、前記被沈殿液体中に、沈殿物に浸透する腐敗防止剤を混合することを特徴とする沈殿物の腐敗予防方法。
【請求項２】
前記腐敗防止剤がフラボノイドもしくはε−ポリリシンのいずれか又は両者を含有することを特徴とする請求項１に記載の沈殿物の腐敗予防方法。
【請求項３】
前記被沈殿液体がリモネンを含有することを特徴とする請求項１又は請求項２に記載の沈殿物の腐敗予防方法。
【請求項４】
貯留ないし循環する液体中に有機物を含有する沈殿物が発生し、該沈殿物と被沈殿液体とが互いに不溶である場合において、前記被沈殿液体がフラボノイドもしくはε−ポリリシンのいずれか又は両者を含有することを特徴とする腐敗予防被沈殿液体。
【請求項５】
さらにリモネンを含有することを特徴とする請求項４に記載の腐敗予防被沈殿液体。
【発明の詳細な説明】
【技術分野】
【０００１】
本発明は、塗装ブース、浄水タンク、ドライクリーニング洗浄機、溜め池、プリント基板の洗浄機、機械等の洗浄機等に沈殿する沈殿物の腐敗予防方法に関するものである。
【背景技術】
【０００２】
従来、塗装ブース、浄水タンク、ドライクリーニング洗浄機、溜め池、プリント基板の洗浄機、機械等の洗浄機等に使用される被沈殿液体中には、有機物を含有する沈殿物が沈殿し、特に夏場の高温期において、前記沈殿物中に微生物が繁殖し、沈殿物が分解されることにより腐敗し、腐敗臭を生ずるという問題があった。
【０００３】
しかし、前記被沈殿液体と沈殿物とが互いに不溶である場合には、被沈殿液体に抗菌剤を混合しても、沈殿物自体の腐敗を防止することができず、十分な腐敗予防効果が得られないでいた。
【０００４】
また、厨芥などの有機物を含む廃棄物処理方法として、有機物を含む廃棄物を破砕し、破砕された廃棄物にリモネンなどのモノテルペン類、酢酸イソペンチルなどの酢酸エステル、プロピオン酸ベンジルなどのプロピオン酸エステル、及び酪酸エチルなどの酪酸エステルから選択した一種以上からなる溶剤を添加して厨芥中の油脂分、たんぱく質などを溶解してスラリー化すると共に微生物による腐敗を抑制し、該スラリー化した廃棄物を遠心分離などにより固形分と液状分とに分離し、該液状分を加熱して水分を気化分離し、次いで加熱温度を上げて溶剤を気化分離して回収する方法がある（例えば、特許文献１参照。）。
【０００５】
この発明は貯留期間中の腐敗を防止して悪臭の発生を防止すると共にその取扱いの便を図るためのスラリー化することが目的であるが、腐敗する対象物としての厨芥中の油脂分、たんぱく質などを溶解してスラリー化しているため、本発明が前提とする沈殿物は存在していない。また、使用する溶剤の量は廃棄物全体をスラリー化しなければならないため、廃棄物と等量かそれ以上の量が必要である。
【特許文献１】特開２００２−２２４６３８号公報（第２〜３頁）
【発明の開示】
【発明が解決しようとする課題】
【０００６】
解決しようとする問題点は、貯留ないし循環する液体中に有機物を含有する沈殿物が発生し、該沈殿物と被沈殿液体とが互いに不溶である場合において、前記沈殿物中に微生物が繁殖し、沈殿物が分解されることにより腐敗し、腐敗臭を生ずる点である。
【課題を解決するための手段】
【０００７】
請求項１に記載の発明は、貯留ないし循環する液体中に有機物を含有する沈殿物が発生し、該沈殿物と被沈殿液体とが互いに不溶である場合において、前記被沈殿液体中に、沈殿物に浸透する腐敗防止剤を混合することを最も主要な特徴とする。
【０００８】
請求項２に記載の発明は、請求項１に記載の発明において、前記腐敗防止剤がフラボノイドもしくはε−ポリリシンのいずれか又は両者を含有することを最も主要な特徴とする。
【０００９】
請求項３に記載の発明は、請求項１又は請求項２に記載の発明において、前記被沈殿液体がリモネンを含有することを最も主要な特徴とする。
【００１０】
請求項４に記載の発明は、貯留ないし循環する液体中に有機物を含有する沈殿物が発生し、該沈殿物と被沈殿液体とが互いに不溶である場合において、前記被沈殿液体がフラボノイドもしくはε−ポリリシンのいずれか又は両者を含有することを特徴とする腐敗予防被沈殿液体。
【００１１】
請求項５に記載の発明は、請求項４に記載の発明において、さらにリモネンを含有することを最も主要な特徴とする。
【発明の効果】
【００１２】
請求項１〜請求項５のいずれか一項に記載の発明によれば、有機物を含有する沈殿物と該沈殿物が沈殿している被沈殿液体とが互いに不溶である場合において、沈殿物の腐敗を予防することができるという利点がある。
【発明を実施するための最良の形態】
【００１３】
以下、本発明を具体化した実施形態を図１に基づいて説明する。本発明において沈殿物とは、被沈殿液体の下層に滞留する物質をいい、液体、固体を問わない。また、浸透するとは、物質Ａと物質Ａとの間に他の物質Ｂが分離することなく配置されることをいい、固体の空隙に液体が浸入することのみならず、液体同士又は液体と固体とが互いに溶解することをも指す。
【００１４】
（第１実施形態）
塗装ブースには、水を収容する貯水槽と、周囲への塗料の飛散を防止する囲い部材が設けられている。塗装ブース内で塗装を行うと、被塗装部材に付着しなかった塗料の飛散物が貯水槽に落下して水中に沈殿する。貯水槽中に沈殿物に浸透する腐敗防止剤としての２，４，５，６−テトラクロロイソフタロニトリルを混合することにより、ニトリル基が微生物が持つ酵素蛋白のチオール基と結合し、酵素の機能を阻害する。その結果、微生物の繁殖を抑制し、沈殿物の腐敗を防止することができる。
【００１５】
塗装ブースの場合にはニトリル系の腐敗防止剤を用いることが好ましい。ニトリル系の腐敗防止剤は水に難溶で、有機物質には溶解するため、沈殿物のみに浸透させることができ、添加量を抑制することができる。ニトリル系の腐敗防止剤としては例えば、２，４，５，６−テトラクロロイソフタロニトリル等が挙げられる。
【００１６】
以上のように構成された腐敗防止方法を用いることにより、塗装ブースにおける沈殿物中の微生物の繁殖を抑制し、該沈殿物の腐敗を予防することができる。
【００１７】
（第２実施形態）
図１に示すように、ドライクリーニングの洗浄機１には被沈殿液体としての洗浄剤２を収容するベースタンク３が設けられており、該ベースタンク３にはベースタンク３の底部からわずかに離れて導通管４が設けられている。該導通管４は洗浄剤２を吸引することができるポンプ５と汚染物を除去する濾過部材としてのペーパーフィルタ６とを介して被洗浄物としての衣服７を洗浄する洗浄槽８と接続されている。
【００１８】
前記洗浄剤２としては例えば、パラフィン系炭化水素、ナフテン系炭化水素等の石油溶剤、１，１，１−トリクロロエタン、テトラクロロエチレン（パークロロエチレン）等の塩素系溶剤、フロン１１３等のフッ素系溶剤、ジメチルシリコーン、トリス（トリメチルシロキシ）シラン等のシリコーン溶剤、リモネン、α−ピネン等の天然溶剤等が挙げられる。これらのうち２以上を混合して用いても良い。
【００１９】
前記洗浄剤２はリモネンを含有することが好ましい。リモネンと他の洗浄剤２を混合する場合におけるリモネンの混合割合は、好ましくは５容量％以上、より好ましくは１０容量％以上、最も好ましくは２０容量％以上である。この範囲にあるとき、ベースタンク３に沈殿する沈殿物９の腐敗を防止することができるとともに衣服７の洗浄力にも優れる。リモネンの混合割合が５容量％未満の場合には、沈殿物９の腐敗防止効果が十分でなく、衣服７の洗浄力が低下する。
【００２０】
衣服７が洗浄槽８に投入されるとポンプ５によってベースタンク３から洗浄剤２が吸引され、導通管４を介して洗浄槽８に洗浄剤２が溜められる。その後、洗浄槽８を回転運動させるとともに洗浄剤２を約３０℃に加温することにより、衣服７に付着した皮脂、汗、微生物等の有機物、砂塵等の汚染物を衣服７から剥離させる。汚染された洗浄剤２は再びポンプ５によって吸引され、導通管４を介してペーパーフィルタ６を通過する。該ペーパーフィルタ６によって多くの汚染物は除去されるが、一部は通過し、ベースタンク３中に沈殿物９として沈殿する。また、加温することによって洗浄剤２中にわずかに溶解した水分等もベースタンク３中で冷却されることによって沈殿物９として沈殿する。以上のように、沈殿物９は皮脂、汗、微生物等の有機物、砂塵、水等により構成されている。
【００２１】
次に、ベースタンク３中の洗浄剤２に沈殿物９に浸透する腐敗防止剤としてのフラボノイド及びε−ポリリシンを混合する。フラボノイド及びε−ポリリシンは沈殿物９中に浸透し、微生物の繁殖を抑制することにより、沈殿物９の腐敗を予防する。
【００２２】
前記腐敗防止剤はフラボノイド及びε−ポリリシンに限らず沈殿物に浸透するものであれば任意に使用することができる。例えば、銀、銅、亜鉛等の無機金属及びその化合物をリン酸ジルコニウム、リン酸アルミニウム、リン酸カルシウム、ヒドロキシアパタイト等のリン酸塩に担持させたリン酸塩系、ゼオライト、シリカゲル、ケイ酸カルシウム、粘度鉱物等に担持させたケイ酸塩系、溶解性ガラスに担持させた溶解性ガラス系、活性炭に担持させた活性炭系、塩化ベンザルコニウム、塩化ベンゼトニウム等の第四級アンモニウム系、２−ベンゾイミダゾールカルバミン酸メチル等の含窒素複素環系、ホルマリン等のアルデヒド系、トリクロサン、ビオゾール、チモール等のフェノール系、グルコン酸クロルヘキシジン等のビグアナイド系、２，４，５，６−テトラクロロイソフタロニトリル等のニトリル系、３−ヨード−２−プロピルカルバメート等のハロゲン系、トリクロロカルバニリド等のアニリド系、テトラメチルチウラムジスルフィド等のジスルフィド系、ソジウムＮ−メチルジオカルバメート等のチオカーバメート系、アルキルジアミノグリシン塩酸塩等のアミノ酸系、オキシン８−ヒドロキシキノリン等の有機金属系、エタノール、プロパノール等のアルコール系、プロピオン酸等のカルボン酸系、ｐ−ヒドロキシ安息香酸エステル、脂肪酸モノグリセリド、ショ糖脂肪酸エステル等のエステル系、酸化チタン等の光触媒系、ヒノキチオール、カラシ抽出物、ユーカリ抽出物、リゾチーム、グリシン、ε−ポリリシン、フラボノイド、キチン、キトサン等の天然系等が挙げられる。これらのうち、衣服の洗浄効果の低下及び衣服の痛みへの影響が少ないことから、天然系腐敗防止剤を用いることが好ましい。
【００２３】
前記腐敗防止剤は洗浄剤２に対しては不溶であることが好ましい。洗浄剤２に対して不溶であることにより、洗浄剤２への溶解による腐敗防止効果の損失が抑制されるとともに、洗浄剤２に比べて少量である沈殿物９にのみ浸透するため、添加量を抑制することができる。前掲の腐敗防止剤の例のうち、ドライクリーニングの洗浄剤２に不溶であるものとしては例えば、ε−ポリリシン、フラボノイド等が挙げられる。
【００２４】
前記腐敗防止材の添加量は好ましくは０．０１〜５容量％、より好ましくは０．１〜３容量％、最も好ましくは０．５〜２容量％である。この範囲にあるとき、沈殿物９の腐敗防止効果に優れる。添加量が０．０１容量％未満の場合には、沈殿物９の腐敗防止効果が十分でない。逆に５容量％を超える場合には、洗浄槽８に洗浄剤２を吸引する際に腐敗防止剤を吸引してしまわないよう、導通管４の設置位置をより上部に設ける必要があるため、ベースタンク３中の有効に使用できる容積が減少してしまう。
【００２５】
前記フラボノイドとしては例えば、フラバン、アフゼレキン、カテキン、カテコール、ガロカテキン、フラバノン、サクラネチン、サクラニン、フラボン、フラボノール、ケンペロール、ケンペリン、クェルセチン、クェルシトリン、ミリセチン、ミリシトリン、フラビリウム、ペラルゴニジン、ペラルゴニン、シアニジン、シアニン、デルフィニジン、デルフィン、ペオニジン、ペオニン、イソフラバン、イソフラボン、ダイゼイン、ダイジン、ナリンジン等が挙げられる。これらのうち２以上を混合して用いても良い。
【００２６】
前記フラボノイドは蜜柑、レモン、オレンジ、グレープフルーツ等の柑橘系植物の種子に多く含まれるナリンジンを用いることが好ましい。ナリンジンは微生物の酵素の働きを阻害し、細胞膜を変質させることによって、微生物の増殖を抑制する。ナリンジンを用いることにより、洗浄剤２に不溶で、汗、水等の水溶性沈殿物９に浸透するため、少量の添加で微生物の繁殖を抑制することができる。
【００２７】
前記ε−ポリリシンは放線菌（Ｓｔｒｅｐｔｏｍｙｃｅｓ  ａｌｂｕｌｕｓ）の培養液より、イオン交換樹脂を用いて吸着、分離して得られたものである。ε−ポリリシンは微生物のＤＮＡに化学結合し、ＤＮＡの複製を阻害することにより、微生物の増殖を抑制する。ε−ポリリシンを用いることにより、洗浄剤２に不溶で、汗、水等の水溶性沈殿物９に浸透するため、少量の添加で微生物の繁殖を抑制することができる。
【００２８】
前記フラボノイドとε−ポリリシンとは併用して用いることが好ましい。フラボノイドとε−ポリリシンとは微生物の増殖抑制に対する作用機構が異なるため、フラボノイドとε−ポリリシンとを単独で用いたときに比べ、微生物の増殖をより抑制することができる。
【００２９】
前記ε−ポリリシンを用いる場合には、酸性物質を併用することが好ましい。酸性物質を用いることにより、ｐＨを低下させることができ、弱酸性条件で有効に働くε−ポリリシンの腐敗防止効果を高めることができる。前記酸性物質としては例えば、クエン酸、リンゴ酸、酢酸等の有機酸、塩酸、硫酸等の無機酸等が挙げられる。これらのうち、衣服の痛みが少ないことから有機酸を用いることが好ましい。
【００３０】
前記フラボノイド又はε−ポリリシンを用いる場合にはリモネンを併用することが好ましい。リモネンはフラボノイド又はε−ポリリシンを溶解しないため、フラボノイド又はε−ポリリシンの腐敗防止効果を低下させることが少ない。
【００３１】
以上のように構成された腐敗防止方法を用いることにより、ドライクリーニング洗浄機のベースタンク内部における沈殿物中の微生物の繁殖を抑制し、該沈殿物の腐敗を予防することができる。
【００３２】
（第３実施形態）
収容容器としての浄水タンクには、被沈殿液体としての水が収容されており、該水には沈殿物としての油脂、微生物等の有機物、砂塵等が沈殿している。沈殿物に浸透する腐敗防止剤としてのキトサンを水に添加する。その作用機構はキトサンの持つアミノ基が微生物の細胞膜と結合し、生育阻害を引き起こすことによる。
【００３３】
前記水が飲用である場合にはキトサンを用いることが好ましい。キトサンを添加することにより、水の腐敗を防止することができるとともに、味の変化が少ない。
【００３４】
以上のように構成された腐敗防止方法を用いることにより、浄水タンクにおける沈殿物中の微生物の繁殖を抑制し、該沈殿物の腐敗を予防することができる。
【００３５】
（第４実施形態）
機械の洗浄槽には、被沈殿液体としてのキシレンが収容されており、機械にはグリース等の油脂、微生物等の有機物、砂塵、水等が付着している。前記洗浄剤を機械に噴霧することにより、付着物が剥離し、該付着物は洗浄剤中に溶解又は沈殿する。
【００３６】
前記洗浄剤に腐敗防止剤としての塩化ベンザルコニウムを添加する。塩化ベンザルコニウムは分子中のカチオン部位が、微生物の細胞膜のアニオン部位に吸着疎水性相互作用によって細胞膜を物理的に破壊する。その結果、微生物の繁殖を抑え、沈殿物の腐敗を予防することができる。
【００３７】
前記洗浄剤はリモネンを含有することが好ましい。リモネンを含有することにより、沈殿物の腐敗を防止効果が増すとともに機械の洗浄力にも優れる。
【００３８】
以上のように構成された腐敗防止方法を用いることにより、機械の洗浄槽における沈殿物中の微生物の繁殖を抑制し、該沈殿物の腐敗を予防することができる。
【００３９】
（第５実施形態）
プリント基板の洗浄槽には、被沈殿液体としての洗浄剤が収容されており、プリント基板には付着物としてのロジン等の油脂、ハンダフラックス屑、プラスチック屑、水、微生物等が付着している。
【００４０】
溶剤系洗浄剤の組成例：イソプロピルアルコール１００重量部、リモネン１００重量部。
水系洗浄剤の組成例：水１００重量部、界面活性剤３重量部、リモネン５重量部。
【００４１】
前記洗浄剤をプリント基板に噴霧することにより、付着物が剥離し、該付着物は洗浄剤中に溶解又は沈殿する。洗浄剤が溶剤系の場合には、沈殿物としてハンダフラックス屑、プラスチック屑、水、微生物等が沈殿し、洗浄剤が水系の場合には、沈殿物としてロジン等の油脂、ハンダフラックス屑、プラスチック屑、微生物等が沈殿する。前記洗浄剤に腐敗防止剤としてのミリスチン酸エステルを添加することにより、微生物の繁殖を抑え、沈殿物の腐敗を予防することができる。
【００４２】
洗浄剤の組成中、界面活性剤を使用する場合には、エステル系の腐敗防止剤を使用することが好ましい。エステル系の腐敗防止剤は非イオン性界面活性剤としても作用するため、沈殿物の腐敗を防止すると共に、界面活性剤の使用量を抑制することができる。エステル系の腐敗防止剤としては例えば、ミリスチン酸エステル、パルミチン酸エステル等が挙げられる。
【００４３】
前記洗浄剤はリモネンを含有することが好ましい。リモネンを含有することにより、沈殿物の腐敗を防止効果が増すとともにプリント基板の洗浄力にも優れる。
【００４４】
以上のように構成された腐敗防止方法を用いることにより、プリント基板の洗浄槽における沈殿物中の微生物の繁殖を抑制し、該沈殿物の腐敗を予防することができる。
（作成者：加藤  圭一）
【図面の簡単な説明】
【００４５】
【図１】ドライクリーニング洗浄機を示した模式図である。
【符号の説明】
【００４６】
２    被沈殿液体としての洗浄剤
９    沈殿物
【図１】
2005152784.tif 000003